【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
文書画像データを電子文書に変換する文書変換装置であって、
前記文書画像データから文字領域を抽出する文字領域抽出手段と、
前記抽出された文字領域と該文字領域のページ番号とを基に、目次データを作成する目次データ作成手段と、
前記文書画像データと前記作成された目次データとに基づいて、目次付きの電子文書を生成する電子文書生成手段とを備え、
前記目次データ作成手段は、前記作成された目次データ中の項目と当該項目が記載されている前記電子文書中の該当位置とのリンクを行うために、前記目次データ中の項目にリンク情報を付加する目次リンク情報付加手段を備えたことを特徴とする文書変換装置。
【請求項２】
前記抽出された文字領域からタイトル部を判定するタイトル部判定手段を更に備え、
前記目次データ作成手段は、前記タイトル部の文字領域と該文字領域のページ番号とを基に、前記目次データを作成することを特徴とする請求項１記載の文書変換装置。
【請求項３】
前記抽出された文字領域の文字認識を行なう文字認識手段を更に備え、
前記目次データ作成手段は、前記文字領域と該文字領域の文字認識結果と該文字領域のページ番号とを基に、前記目次データを作成することを特徴とする請求項１または２記載の文書変換装置。
【請求項４】
前記文書画像データを、所定の文書形式にしたがった電子文書に変換するデータ変換手段を更に備え、
前記電子文書生成手段は、前記データ変換手段により前記文書画像データを変換して作成された前記所定の文書形式の電子文書と、前記目次データ作成手段で作成された目次データとに基づいて、前記目次付きの電子文書を生成することを特徴とする請求項１乃至３のいずれか１項に記載の文書変換装置。
【請求項５】
前記抽出された文字領域の文字認識を行う文字認識手段と、
前記文字認識の結果からキーワードを抽出するキーワード抽出手段と、
前記抽出されたキーワードとページ番号とを基に、索引データを作成する索引データ作成手段とを備え、
前記索引データ作成手段は、前記作成された索引データ中の項目と当該項目が記載される前記電子文書中の該当位置とのリンクを行うために、前記索引データ中の項目にリンク情報を付加する索引リンク情報付加手段を備え、
前記電子文書生成手段は、前記文書画像データと前記目次データと前記索引データとに基づいて、目次と索引付きの電子文書を生成することを特徴とする請求項１記載の文書変換装置。
【請求項６】
前記目次データの項目がユーザにより指示されると、当該項目が記載されている前記生成された電子文書中の該当位置が表示されることを特徴とする請求項１記載の文書変換装置。
【請求項７】
前記抽出された文字領域の文字認識を行う文字認識手段と、
前記文字認識の結果の信頼度を判定する信頼度判定手段とを備え、
前記目次データ作成手段は、前記信頼度が閾値以下である場合、前記タイトル部の部分文字画像データを表示状態とし、当該タイトル部の文字認識処理で得られた文字コードを非表示状態とする目次データを作成し、前記信頼度が閾値を越える場合、前記文字コードに対応するフォントを表示状態とする目次データを作成することを特徴とする請求項１記載の文書変換装置文書変換装置。
【請求項８】
前記生成された電子文書は、アプリケーションによって開かれた際、目次、各文書ページ、索引の順番となるデータ構造を有するとを特徴とする請求項５乃至７のいずれか１項に記載の文書変換装置。
【請求項９】
文書画像データを電子文書に変換する文書変換方法であって、
前記文書画像データから文字領域を抽出する文字領域抽出ステップと、
前記抽出された文字領域と該文字領域のページ番号とを基に、目次データを作成する目次データ作成ステップと、
前記文書画像データと前記作成された目次データとに基づいて、目次付きの電子文書を生成する電子文書生成ステップとを有し、
前記目次データ作成ステップは、前記作成された目次データ中の項目と当該項目が記載されている前記電子文書中の該当位置とのリンクを行うために、前記目次データ中の項目にリンク情報を付加する目次リンク情報付加ステップを有することを特徴とする文書変換方法。
【請求項１０】
ネットワークを介して文書処理装置および情報処理装置が接続された文書変換システムであって、
前記文書処理装置は、
文書画像データを所定の文書形式に対応する文書データに変換するデータ変換手段と、
前記文書画像データから文字領域を抽出する文字領域抽出手段と、
前記データ変換手段によって前記文書画像データが所定ページ数変換されるごとに、前記変換された文書データを前記情報処理装置に送信する文書データ送信手段と、
前記抽出された文字領域と該文字領域のページ番号とを基に、目次データを作成する目次データ作成手段と、
前記作成された目次データを前記情報処理装置に送信する目次データ送信手段とを備え、
前記情報処理装置は、
前記文書データおよび前記目次データを受信する受信手段と、
前記受信した文書データと前記受信した目次データとを結合することにより、前記所定の文書形式に対応する電子文書を生成する電子文書生成手段とを備えたことを特徴とする文書変換システム。
【請求項１１】
前記文書処理装置は、
前記抽出された文字領域の文字認識を行う文字認識手段と、
前記文字認識の結果からキーワードを抽出するキーワード抽出手段と、
前記抽出されたキーワードとページ番号とを基に、索引データを作成する索引データ作成手段と、
前記作成された索引データを前記情報処理装置に送信する索引データ送信手段とを備え、
前記受信手段は、前記文書画像データと前記目次データと前記索引データとを受信し、
前記電子文書生成手段は、前記受信した文書画像データと前記受信した目次データと前記受信した索引データとを結合することにより、前記電子文書を生成することを特徴とする請求項１０記載の文書変換システム。
【請求項１２】
ネットワークを介して情報処理装置と接続された文書処理装置であって、
文書画像データを所定の文書形式に対応する文書データに変換するデータ変換手段と、
前記文書画像データから文字領域を抽出する文字領域抽出手段と、
前記データ変換手段によって前記文書画像データが所定ページ数変換されるごとに、前記変換された文書データを前記情報処理装置に送信する文書データ送信手段と、
前記抽出された文字領域と該文字領域のページ番号とを基に、目次データを作成する目次データ作成手段と、
前記作成された目次データを前記情報処理装置に送信する目次データ送信手段とを備えたことを特徴とする文書処理装置。
【請求項１３】
前記目次データ作成手段は、前記作成された目次データ中の項目と当該項目が記載されている前記電子文書中の該当位置とのリンクを行うために、前記目次データ中の項目にリンク情報を付加する目次リンク情報付加手段を備えたことを特徴とする請求項１２記載の文書処理装置。
【請求項１４】
文書画像データを所定の文書形式に対応する文書データに変換するデータ変換手段と目次データを作成する目次データ作成手段とを備える文書処理装置とネットワークを介して接続された情報処理装置であって、
前記文書処理装置において変換がなされた文書データと前記文書処理装置において作成された目次データとを受信する受信手段と、
前記受信した文書データと前記受信した目次データとを結合することにより、前記所定の文書形式に対応する電子文書を生成する電子文書生成手段とを備えたことを特徴とする情報処理装置。
【請求項１５】
ネットワークを介して文書処理装置および情報処理装置が接続された文書変換システムの文書変換方法であって、
文書画像データを所定の文書形式に対応する文書データに変換するデータ変換ステップと、
前記文書処理装置において、前記文書画像データから文字領域を抽出する文字領域抽出ステップと、
前記データ変換ステップで前記文書画像データが所定ページ数変換されるごとに、前記変換された文書データを前記情報処理装置に送信する文書データ送信ステップと、
前記抽出された文字領域と該文字領域のページ番号とを基に、目次データを作成する目次データ作成ステップと、
前記作成された目次データを前記情報処理装置に送信する目次データ送信ステップと、
前記情報処理装置において、前記文書データおよび前記目次データを受信する受信ステップと、
前記受信した文書データと前記受信した目次データとを結合することにより、前記所定の文書形式に対応する電子文書を生成する電子文書生成ステップとを有することを特徴とする文書変換方法。
【請求項１６】
請求項１乃至８のいずれか１項に記載の文書変換装置を実現するためのプログラムを格納したコンピュータ読み取り可能な記憶媒体。
【請求項１７】
請求項１２又は１３記載の文書処理装置を実現するためのプログラムを格納したコンピュータ読み取り可能な記憶媒体。
【請求項１８】
請求項１４記載の情報処理装置を実現するためのプログラムを格納したコンピュータ読み取り可能な記憶媒体。
【手続補正２】
【補正対象書類名】明細書
【補正対象項目名】発明の名称
【補正方法】変更
【補正の内容】
【発明の名称】文書変換装置、文書変換方法、文書変換システム、文書処理装置および情報処理装置、並びに記憶媒体
【手続補正３】
【補正対象書類名】明細書
【補正対象項目名】０００１
【補正方法】変更
【補正の内容】
【０００１】
本発明は、文書画像データを所定の文書形式の電子文書に変換する文書変換装置、文書変換方法、文書変換システム、文書処理装置および情報処理装置、並びに記憶媒体に関する。
【手続補正４】
【補正対象書類名】明細書
【補正対象項目名】０００７
【補正方法】変更
【補正の内容】
【０００７】
そこで、本発明は、機器内の記憶リソースが限られていても、限られた記憶リソース内で複数の文書画像データから目次データを持つ電子文書への変換を容易に行うことができる文書変換装置、文書変換方法、文書変換システム、文書処理装置および情報処理装置、並びに記憶媒体を提供することを目的とする。また、本発明は、目次を有する電子文書の使い勝手を向上できる文書変換装置、文書変換方法、文書変換システム、文書処理装置および情報処理装置、並びに記憶媒体を提供することを他の目的とする。
【手続補正５】
【補正対象書類名】明細書
【補正対象項目名】０００８
【補正方法】変更
【補正の内容】
【０００８】
上記目的を達成するために、請求項１記載の文書変換装置文書画像データを電子文書に変換する文書変換装置であって、前記文書画像データから文字領域を抽出する文字領域抽出手段と、前記抽出された文字領域と該文字領域のページ番号とを基に、目次データを作成する目次データ作成手段と、前記文書画像データと前記作成された目次データとに基づいて、目次付きの電子文書を生成する電子文書生成手段とを備え、前記目次データ作成手段は、前記作成された目次データ中の項目と当該項目が記載されている前記電子文書中の該当位置とのリンクを行うために、前記目次データ中の項目にリンク情報を付加する目次リンク情報付加手段を備えたことを特徴とする。
【手続補正６】
【補正対象書類名】明細書
【補正対象項目名】０００９
【補正方法】変更
【補正の内容】
【０００９】
請求項９記載の文書変換方法は、文書画像データを電子文書に変換する文書変換方法であって、前記文書画像データから文字領域を抽出する文字領域抽出ステップと、前記抽出された文字領域と該文字領域のページ番号とを基に、目次データを作成する目次データ作成ステップと、前記文書画像データと前記作成された目次データとに基づいて、目次付きの電子文書を生成する電子文書生成ステップとを有し、前記目次データ作成ステップは、前記作成された目次データ中の項目と当該項目が記載されている前記電子文書中の該当位置とのリンクを行うために、前記目次データ中の項目にリンク情報を付加する目次リンク情報付加ステップを有することを特徴とする。
【手続補正７】
【補正対象書類名】明細書
【補正対象項目名】００１０
【補正方法】変更
【補正の内容】
【００１０】
請求項１０記載の文書変換システムは、ネットワークを介して文書処理装置および情報処理装置が接続された文書変換システムであって、前記文書処理装置は、文書画像データを所定の文書形式に対応する文書データに変換するデータ変換手段と、前記文書画像データから文字領域を抽出する文字領域抽出手段と、前記データ変換手段によって前記文書画像データが所定ページ数変換されるごとに、前記変換された文書データを前記情報処理装置に送信する文書データ送信手段と、前記抽出された文字領域と該文字領域のページ番号とを基に、目次データを作成する目次データ作成手段と、前記作成された目次データを前記情報処理装置に送信する目次データ送信手段とを備え、前記情報処理装置は、前記文書データおよび前記目次データを受信する受信手段と、前記受信した文書データと前記受信した目次データとを結合することにより、前記所定の文書形式に対応する電子文書を生成する電子文書生成手段とを備えたことを特徴とする。
【手続補正８】
【補正対象書類名】明細書
【補正対象項目名】００１１
【補正方法】変更
【補正の内容】
【００１１】
請求項１２記載の文書処理装置は、ネットワークを介して情報処理装置と接続された文書処理装置であって、文書画像データを所定の文書形式に対応する文書データに変換するデータ変換手段と、前記文書画像データから文字領域を抽出する文字領域抽出手段と、前記データ変換手段によって前記文書画像データが所定ページ数変換されるごとに、前記変換された文書データを前記情報処理装置に送信する文書データ送信手段と、前記抽出された文字領域と該文字領域のページ番号とを基に、目次データを作成する目次データ作成手段と、前記作成された目次データを前記情報処理装置に送信する目次データ送信手段とを備えたことを特徴とする。
【手続補正９】
【補正対象書類名】明細書
【補正対象項目名】００１２
【補正方法】変更
【補正の内容】
【００１２】
請求項１４記載の情報処理装置は、文書画像データを所定の文書形式に対応する文書データに変換するデータ変換手段と目次データを作成する目次データ作成手段とを備える文書処理装置とネットワークを介して接続された情報処理装置であって、前記文書処理装置において変換がなされた文書データと前記文書処理装置において作成された目次データとを受信する受信手段と、前記受信した文書データと前記受信した目次データとを結合することにより、前記所定の文書形式に対応する電子文書を生成する電子文書生成手段とを備えたことを特徴とする。
【手続補正１０】
【補正対象書類名】明細書
【補正対象項目名】００１３
【補正方法】変更
【補正の内容】
【００１３】
請求項１５記載の文書変換方法は、ネットワークを介して文書処理装置および情報処理装置が接続された文書変換システムの文書変換方法であって、文書画像データを所定の文書形式に対応する文書データに変換するデータ変換ステップと、前記文書処理装置において、前記文書画像データから文字領域を抽出する文字領域抽出ステップと、前記データ変換ステップで前記文書画像データが所定ページ数変換されるごとに、前記変換された文書データを前記情報処理装置に送信する文書データ送信ステップと、前記抽出された文字領域と該文字領域のページ番号とを基に、目次データを作成する目次データ作成ステップと、前記作成された目次データを前記情報処理装置に送信する目次データ送信ステップと、前記情報処理装置において、前記文書データおよび前記目次データを受信する受信ステップと、前記受信した文書データと前記受信した目次データとを結合することにより、前記所定の文書形式に対応する電子文書を生成する電子文書生成ステップとを有することを特徴とする。
請求項１６〜１８のコンピュータ読み取り可能な記憶媒体は、上記文書変換装置を実現するためのプログラムを格納したことを特徴とする。
【手続補正１１】
【補正対象書類名】明細書
【補正対象項目名】００１４
【補正方法】変更
【補正の内容】
【００１４】
本発明によれば、作成された目次データ中の項目と当該目の前記電子文書中の該当位置とのリンクを行うために、目次データ中の項目にリンク情報を付加するので、目次を有する電子文書の使い勝手を向上できる。
【手続補正１２】
【補正対象書類名】明細書
【補正対象項目名】００１５
【補正方法】変更
【補正の内容】
【００１５】
本発明によれば、目次および索引を有する電子文書の使い勝手を向上でき、また、目次または索引を用いて電子文書中の該当位置に表示を切り替えることができ、さらに、文字認識結果の信頼度に応じたタイトル部の表示に切替可能な目次データを作成できる。
【手続補正１３】
【補正対象書類名】明細書
【補正対象項目名】００１６
【補正方法】変更
【補正の内容】
【００１６】
また、本発明によれば、ページ単位の文書データや目次データを次々に送信可能であるので、機器（文書処理装置）内の記憶リソースが限られていても、限られた記憶リソース内で複数の文書画像データから目次データを持つ電子文書への変換を容易に行うことができ、また、目次データおよび索引データを持つ電子文書への変換を容易に行うことができる。
【手続補正１４】
【補正対象書類名】明細書
【補正対象項目名】００１７
【補正方法】変更
【補正の内容】
【００１７】
本発明の実施の形態について図面を参照しながら説明する。本実施形態の文書変換装置は、複合機（ＭＦＰ）および情報処理装置（クライアントＰＣ）がネットワークを介して接続された文書変換システムに適用される。